(57)【要約】【課題】送信タイミングに関して所定の条件を満たす必要のある信号が存在する場合に、複数の基地局装置から効率的に信号を送信する技術を提供する。【解決手段】制御装置１２は、同一の無線リソースを使用し、かつ送信タイミングに関して所定の条件を満たす必要のある報知信号を送信する複数の基地局装置に接続される。選択部８０は、複数の基地局装置のうちの１つを選択する。第１検出部８２は、複数の基地局装置のうちの少なくとも１つの基地局装置を介した複数の端末装置間の通信が非実行であることを検出する。第２検出部８４は、複数の基地局装置のうちの少なくとも１つの基地局装置が報知信号を信号中であることを検出する。指示部８６は、第１検出部８２が通信の非実行を検出した場合に、第２検出部８４の検出結果に基づいて、選択部８０において選択した１つの基地局装置に報知信号の送信を指示する。【選択図】図８
2019062367.tif 000002
【特許請求の範囲】
【請求項１】
同一の無線リソースを使用し、かつ送信タイミングに関して所定の条件を満たす必要のある報知信号を送信する複数の基地局装置に接続される制御装置であって、
複数の基地局装置のうちの１つを選択する選択部と、
複数の基地局装置のうちの少なくとも１つの基地局装置を介した複数の端末装置間の通信が非実行であることを検出する第１検出部と、
複数の基地局装置のうちの少なくとも１つの基地局装置が報知信号を送信中であることを検出する第２検出部と、
前記第１検出部が通信の非実行を検出した場合に、前記第２検出部の検出結果に基づいて、前記選択部において選択した１つの基地局装置に報知信号の送信を指示する指示部と、
を備えることを特徴とする制御装置。
【請求項２】
複数の基地局装置それぞれから送信される報知信号は、基地局装置ごとに異なる内容の信号、または基地局装置ごとに異なるタイミングで送信される信号であることを特徴とする請求項１に記載の制御装置。
【請求項３】
前記選択部は、報知信号を送信すべき基地局装置が２つ以上存在する場合に、そのうちの１つの基地局装置を選択することを特徴とする請求項１または２に記載の制御装置。
【請求項４】
前記選択部は、送信範囲の広い基地局装置または送信電力の大きな基地局装置を優先的に選択することを特徴とする請求項３に記載の制御装置。
【請求項５】
前記選択部は、報知信号の送信時間の短い基地局装置を優先的に選択することを特徴とする請求項３または４に記載の制御装置。
【請求項６】
複数の基地局装置のいずれかが報知信号を送信している場合に、報知信号の送信終了予定時刻を管理する管理部をさらに備え、
前記第２検出部は、前記管理部において管理される送信終了予定時刻が経過していない場合に、報知信号が送信中であることを検出することを特徴とする請求項１から５のいずれか１項に記載の制御装置。
【請求項７】
前記指示部は、前記第１検出部が通信の非実行を検出し、かつ前記第２検出部が報知信号の送信中を検出しなかった場合に、前記選択部において選択した１つの基地局装置に報知信号の送信を指示することを特徴とする請求項１から６のいずれか１項に記載の制御装置。
【請求項８】
前記指示部は、前記第２検出部が報知信号の送信中を検出した場合であっても、報知信号を送信している基地局装置による送信範囲と、前記選択部において選択した１つの基地局装置による送信範囲とが非重複であれば、前記選択部において選択した１つの基地局装置に報知信号の送信を指示することを特徴とする請求項１から６のいずれか１項に記載の制御装置。
【請求項９】
同一の無線リソースを使用し、かつ送信タイミングに関して所定の条件を満たす必要のある報知信号を送信する複数の基地局装置の制御方法であって、
複数の基地局装置のうちの１つを選択するステップと、
複数の基地局装置のうちの少なくとも１つを介した複数の端末装置間の通信が非実行であることを検出するステップと、
複数の基地局装置のうち、少なくとも１つの基地局装置が報知信号を送信中であることを検出するステップと、
通信の非実行を検出した場合に、報知信号の検出結果に基づいて、選択した１つの基地局装置に報知信号の送信を指示するステップと、
を備えることを特徴とする制御方法。
【請求項１０】
同一の無線リソースを使用し、かつ送信タイミングに関して所定の条件を満たす必要のある報知信号を送信する複数の基地局装置に接続される制御装置で実行されるプログラムであって、
複数の基地局装置のうちの１つを選択するステップと、
複数の基地局装置のうちの少なくとも１つを介した複数の端末装置間の通信が非実行であることを検出するステップと、
複数の基地局装置のうち、少なくとも１つの基地局装置が報知信号を送信中であることを検出するステップと、
通信の非実行を検出した場合に、報知信号の検出結果に基づいて、選択した１つの基地局装置に報知信号の送信を指示するステップとを制御装置に実行させるためのプログラム。
【発明の詳細な説明】
【技術分野】
【０００１】
本発明は、通信技術に関し、特に送信のタイミングを制御する制御装置、制御方法、プログラムに関する。
【背景技術】
【０００２】
例えば、ＭＣＡ（Ｍｕｌｔｉ  Ｃｈａｎｎｅｌ  Ａｃｃｅｓｓ）システムでは、制御用チャネルと通信用チャネルが使用される。制御用チャネルと通信用チャネルにおいて、制御用チャネルの送信周波数で複数の基地局装置へ情報を配信する際、基地局装置間の送信タイミングがスケジューリングされる。その結果、電波重複エリアでの干渉の発生が防止される。具体的には送信間隔をフレーム（４０ｍｓｅｃ）で分割するとともに、サブフレーム（フレーム×１０）、スーパーフレーム（サブフレーム×３０）が構成される。制御用チャネルの送信処理はフレーム単位でなされ、緊急性の高い送信情報については短周期のフレームを使用し、緊急性の低い送信情報については長周期のフレームを使用することが組み合わされる（例えば、特許文献１）。
【先行技術文献】
【特許文献】
【０００３】
【特許文献１】特開２０１４−１７１１２４号公報
【発明の概要】
【発明が解決しようとする課題】
【０００４】
短周期のフレームと長周期のフレームを使用する場合、送信時間が固定値とされる。しかしながら、送信タイミングに関して所定の条件を満たす必要のある信号のデータ量および通信速度により送信時間が基地局装置ごとに異なる場合、短周期のフレームと長周期のフレームを使用すると効率よく送信できない。
【０００５】
本発明はこうした状況に鑑みてなされたものであり、その目的は、送信タイミングに関して所定の条件を満たす必要のある信号が存在する場合に、複数の基地局装置から効率的に信号を送信する技術を提供することである。
【課題を解決するための手段】
【０００６】
上記課題を解決するために、本発明のある態様の制御装置は、同一の無線リソースを使用し、かつ送信タイミングに関して所定の条件を満たす必要のある報知信号を送信する複数の基地局装置に接続される制御装置であって、複数の基地局装置のうちの１つを選択する選択部と、複数の基地局装置のうちの少なくとも１つの基地局装置を介した複数の端末装置間の通信が非実行であることを検出する第１検出部と、複数の基地局装置のうちの少なくとも１つの基地局装置が報知信号を送信中であることを検出する第２検出部と、第１検出部が通信の非実行を検出した場合に、第２検出部の検出結果に基づいて、選択部において選択した１つの基地局装置に報知信号の送信を指示する指示部と、を備える。
【０００７】
本発明の別の態様は、制御方法である。この方法は、同一の無線リソースを使用し、かつ送信タイミングに関して所定の条件を満たす必要のある報知信号を送信する複数の基地局装置の制御方法であって、複数の基地局装置のうちの１つを選択するステップと、複数の基地局装置のうちの少なくとも１つを介した複数の端末装置間の通信が非実行であることを検出するステップと、複数の基地局装置のうち、少なくとも１つの基地局装置が報知信号を送信中であることを検出するステップと、通信の非実行を検出した場合に、報知信号の検出結果に基づいて、選択した１つの基地局装置に報知信号の送信を指示するステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、送信タイミングに関して所定の条件を満たす必要のある信号が存在する場合に、複数の基地局装置から効率的に信号を送信できる。
【図面の簡単な説明】
【００１０】
【図１】実施例に係る通信システムの構成を示す図である。
【図２】図１の通信システムにおける通信エリアの配置を示す図である。
【図３】図１の通信システムによる処理の概要を示す図である。
【図４】図４（ａ）−（ｃ）は、図１の基地局装置によるＣＷ  ＩＤの送信の概要を示す図である。
【図５】図１の基地局装置によるＣＷ  ＩＤの送信の別の概要を示す図である。
【図６】図１の基地局装置によるＣＷ  ＩＤの送信のさらに別の概要を示す図である。
【図７】図１の基地局装置によるＣＷ  ＩＤの送信のさらに別の概要を示す図である。
【図８】図１の制御装置の構成を示す図である。
【図９】図８のＣＷ  ＩＤ登録テーブルのデータ構造を示す図である。
【図１０】実施例に係るモールス符号一覧のデータ構造を示す図である。
【図１１】図８の基地局装置詳細情報テーブルのデータ構造を示す図である。
【図１２】図８のＣＷ  ＩＤ送信部による通信エリアの重複確認処理の概要を示す図である。
【図１３】図８のＣＷ  ＩＤ送信部の記憶部において記憶される各基地局装置のＣＷ  ＩＤ送信予告時刻のテーブルのデータ構造を示す図である。
【図１４】図８のＣＷ  ＩＤ送信状況管理部において記憶されるテーブルのデータ構造を示す図である。
【図１５】制御装置による送信手順を示すフローチャートである。
【図１６】制御装置による別の送信手順を示すフローチャートである。
【図１７】制御装置による基地局装置の選択手順を示すフローチャートである。
【図１８】制御装置による基地局装置の別の選択手順を示すフローチャートである。
【図１９】図８のＣＷ  ＩＤ送信部において記憶されるテーブルのデータ構造を示す図である。
【発明を実施するための形態】
【００１１】
本発明を具体的に説明する前に、まず概要を述べる。本発明の実施例は、基地局装置を介して互いに通信する複数の端末装置が含まれる通信システムに関する。本通信システムは、例えば、業務用無線システムに対応する。また、端末装置から基地局装置に向かう上りリンクの周波数（以下、「上り周波数」という）と、基地局装置から端末装置に向かう下りリンクの周波数（以下、「下り周波数」という）とは異なる。なお、上り周波数は、基地局装置における受信周波数に相当し、下り周波数は、基地局装置における送信周波数に相当する。一方、複数の基地局装置のそれぞれにおける上り周波数は同一であり、複数の基地局装置のそれぞれにおける下り周波数も同一である。以下では、１つの上り周波数と１つの下り周波数との組合せを「チャネル」ということもあるが、上り周波数または下り周波数の一方を「チャネル」ということもある。複数の基地局装置は制御装置に接続されており、制御装置は、各基地局装置を制御するとともに、基地局装置が端末装置からの発呼情報（送信情報）を受信した場合に、複数の基地局装置に、受信した発呼情報を転送する。これは、複数の基地局装置をまたいで、サイマルキャスト通信が実行されることに相当する。
【００１２】
１つの端末装置は、音声情報が含まれた発呼情報を送信する。発呼情報を受信した１つ以上の基地局装置は、発呼情報をＩＰ（Ｉｎｔｅｒｎｅｔ  Ｐｒｏｔｏｃｏｌ）パケット化することによってパケット信号を生成し、ＩＰネットワークを介してパケット信号を制御装置に送信する。制御装置は、発呼情報を基地局装置が送信すべき時刻に関する情報（以下、「送信時刻」という）と発呼情報とが含まれたパケット信号を生成する。制御装置は、ＩＰネットワークを介して、複数の基地局装置にパケット信号を送信する。複数の基地局装置は、パケット信号を受信すると、パケット信号に含まれた送信時刻が到来した場合に発呼情報を送信する。複数の端末装置は、発呼情報を受信して、音声を再生する。１つの端末装置を使用するユーザの発話が続く限り、このような処理は定期的に繰り返して続けられる。
【００１３】
また、通信システムにおいて、当該通信システムの管理者等を識別するための識別情報（以下、「Ｓｔａｔｉｏｎ  ＩＤ」という）を基地局装置が一定周期、例えば数十分に１回送信する条件が規定されることもある。ここで、一定周期は、厳密な時間としてではなく、送信間隔の最大時間として定められる。Ｓｔａｔｉｏｎ  ＩＤは、基本的には基地局装置ごとに異なっているが、一部の複数の基地局装置で同じであってもよい。すなわち、Ｓｔａｔｉｏｎ  ＩＤは、複数の基地局装置それぞれが送信する報知信号（報知データ）であり、送信タイミングに関して所定の条件を満たす必要のある信号である。また、Ｓｔａｔｉｏｎ  ＩＤは、複数の基地局装置ごとに異なる内容の信号、または基地局装置ごとに異なるタイミングで送信される信号であるといえる。このようなＳｔａｔｉｏｎ  ＩＤがアナログ方式で送信される場合、モールス符号が使用されることもあり、「ＣＷ  ＩＤ」と呼ばれる。アナログ方式での送信では、デジタル方式での送信と比較して、通信速度が低くなる傾向にある。そのため、ＣＷ  ＩＤの送信に要する時間も長くなる。基地局装置は、ＣＷ  ＩＤを送信している間に端末装置からの発呼情報を受信した場合、発呼情報の送信よりもＣＷ  ＩＤの送信を優先するので、ＣＷ  ＩＤの送信を終了してから、発呼情報を送信する。
【００１４】
複数の基地局装置が同一の送信周波数を使用する場合、各基地局装置の通信エリアが互いに重複する。その場合、２つ以上の基地局装置におけるＣＷ  ＩＤの送信タイミングが重複すると、それらの間で干渉が発生するおそれがある。そのため、各基地局装置の通信エリアが重複している領域においてＣＷ  ＩＤの送信タイミングが互いに異なるようにしなければならない。本実施例における制御装置は、各基地局装置が送信するＣＷ  ＩＤの文字列（データ量）、送信速度、送信周期を登録し、各基地局装置がＣＷ  ＩＤを送信するタイミングを一元管理する。また、制御装置は、各基地局装置が設置されている位置情報、送信範囲を参照し、各基地局装置の通信エリアにて干渉が発生するかを判定し、干渉有無に応じてＣＷ  ＩＤの送信タイミングを決定する。
【００１５】
図１は、実施例に係る通信システム１００の構成を示す。通信システム１００は、ＩＰネットワーク１０、制御装置１２、基地局装置１４と総称される第１基地局装置１４ａ、第２基地局装置１４ｂ、第３基地局装置１４ｃ、端末装置１６と総称される第１端末装置１６ａ、第２端末装置１６ｂ、第３端末装置１６ｃを含む。ここで、通信システム１００に含まれる基地局装置１４の数は「３」に限定されず、端末装置１６の数は「３」に限定されず、それらより多くてもよく、それらよりも少なくてもよい。制御装置１２と各基地局装置１４はＩＰネットワーク１０により接続される。また、各基地局装置１４の送信周波数と各端末装置１６の受信周波数は同一に設定され、各基地局装置１４の受信周波数と各端末装置１６の送信周波数は同一に設定される。
【００１６】
複数の端末装置１６、複数の基地局装置１４は、前述のごとく、業務用無線システムに対応しており、各端末装置１６は、いずれかの基地局装置１４を介して、音声通信を実行する。各端末装置１６はＰＴＴ（Ｐｕｓｈ  Ｔｏ  Ｔａｌｋ）ボタンを備え、ＰＴＴボタンが押し下げられた端末装置１６はユーザの音声を発呼情報として基地局装置１４に送信する。複数の基地局装置１４は、端末装置１６からの発呼情報を受信すると、発呼情報が含まれたパケット信号を生成し、パケット信号をＩＰネットワーク１０を介して制御装置１２に送信する。
【００１７】
制御装置１２は、各パケット信号に含まれた発呼情報の中から、最も通信品質の高い発呼情報を選択する。制御装置１２は、選択した発呼情報に対する送信時刻を生成し、送信時刻と選択した発呼情報とが含まれたパケット信号を、ＩＰネットワーク１０を介して複数の基地局装置１４に送信する。
【００１８】
複数の基地局装置１４は、パケット信号を受信すると、パケット信号から送信時刻と発呼情報とを抽出する。各基地局装置１４は、現時刻が送信時刻を経過した場合に、発呼情報を送信する。ここで、各基地局装置１４における現時刻は同期されているので、第１基地局装置１４ａから第３基地局装置１４ｃは、発呼情報を同一のタイミングで送信する。そのため、通信システム１００は、サイマルキャストシステムであるといえる。端末装置１６は、基地局装置１４からの発呼情報を受信する。
【００１９】
図２は、通信システム１００における通信エリア１８の配置を示す。各基地局装置１４は、通信可能なエリアとして通信エリア１８を形成する。具体的に説明すると、第１基地局装置１４ａは第１通信エリア１８ａを形成し、第２基地局装置１４ｂは第２通信エリア１８ｂを形成し、第３基地局装置１４ｃは第３通信エリア１８ｃを形成する。ここで、各基地局装置１４は、「送信周波数：ＺＺＺ  ＭＨｚ」、「受信周波数：ｚｚｚ  ＭＨｚ」を使用し、各端末装置１６は、「送信周波数：ｚｚｚ  ＭＨｚ」、「受信周波数：ＺＺＺ  ＭＨｚ」を使用する。このように、第１基地局装置１４ａから第３基地局装置１４ｃでは同一のチャネルが使用されるので、第１通信エリア１８ａから第３通信エリア１８ｃでも同一のチャネルが使用される。このように、サイマルキャストシステムである通信システム１００では、複数の通信エリア１８が重複した部分においても同一のチャネルが使用されているので、端末装置１６への干渉とならないように、各基地局装置１４からの送信タイミングを一致させる必要がある。
【００２０】
図３は、通信システム１００による処理の概要を示す。端末装置１６は発呼情報を送信し、第１基地局装置１４ａは発呼情報を受信する。第１基地局装置１４ａは発呼情報をパケット信号に含め、パケット信号をＩＰネットワーク１０経由で制御装置１２に一定間隔で送信する。制御装置１２は、第１基地局装置１４ａからのパケット信号を受信する。その際、他の基地局装置１４からもパケット信号を受信している場合、制御装置１２は、最も品質の高い発呼情報を選択する。制御装置１２は、発呼情報と送信時刻とが含まれたパケット信号を生成し、パケット信号をＩＰネットワーク１０経由で第１基地局装置１４ａから第３基地局装置１４ｃに一定間隔で送信する。この送信時刻は、すべての基地局装置１４において送信タイミングを一致させる目的で設定されるので、すべての基地局装置１４に対して同じ値とされる。また、送信時刻は、ＩＰネットワーク１０の遅延時間を考慮した値とされる。
【００２１】
図４（ａ）−（ｃ）は、基地局装置１４によるＣＷ  ＩＤの送信の概要を示す。通信システム１００を使用する場合に、基地局装置１４が送信を行う際に使用する「送信周波数：ＺＺＺ  ＭＨｚ」について、Ｓｔａｔｉｏｎ  ＩＤを一定間隔に基地局装置１４から送信しなければならない条件が各国の法律によっては定められる。前述のごとく、一定周期は、厳密な時間としてではなく、送信間隔の最大時間として定められる。１回目のＳｔａｔｉｏｎ  ＩＤを送信した時刻からＸＸ分以内に２回目のＳｔａｔｉｏｎ  ＩＤを送信するという条件が定められる場合、（ＸＸ−１）分の間隔で２回目のＳｔａｔｉｏｎ  ＩＤを送信しても許容される。そのため、基地局装置１４には、一定周期、例えば数十分に１回でＳｔａｔｉｏｎ  ＩＤを送信する設定がなされる。
【００２２】
Ｓｔａｔｉｏｎ  ＩＤはデジタル方式あるいはアナログ方式にて送信され、アナログ方式の場合は、モールス符号を使用したＣＷ  ＩＤと呼ばれる方式で送信される。アナログ方式の通信速度はデジタル方式の通信速度よりも低いので、アナログ方式においてＳｔａｔｉｏｎ  ＩＤの送信に要する期間は、デジタル方式においてＳｔａｔｉｏｎ  ＩＤの送信に要する期間よりも長くなる。例えば、前者は１０〜１５秒であり、後者は１〜２秒である。また、ＣＷ  ＩＤには、周波数使用者等の文字情報、通信速度（ＷＰＭ  ＝  ｗｏｒｄｓ  ｐｅｒ  ｍｉｎｕｔｅ）、送信周期が設定される。このようなＣＷ  ＩＤは、送信のタイミングに関する所定の条件を満たす必要のある信号である。
【００２３】
図４（ａ）は、第１基地局装置１４ａによるＣＷ  ＩＤの送信処理を示す。使用者情報「ＡＡＡ  ＳＴＡＴＩＯＮ」が通信速度「２０  ＷＰＭ」で送信周期「１５  ｍｉｎｕｔｅｓ」に送信される。図４（ｂ）は、第２基地局装置１４ｂによるＣＷ  ＩＤの送信処理を示す。使用者情報「ＢＢＢ  ＭＴ」が通信速度「１５  ＷＰＭ」で送信周期「１０  ｍｉｎｕｔｅｓ」に送信される。図４（ｃ）は、第３基地局装置１４ｃによるＣＷ  ＩＤの送信処理を示す。使用者情報「ＣＣＣ  ＬＡＫＥ」が通信速度「２０  ＷＰＭ」で送信周期「２０  ｍｉｎｕｔｅｓ」に送信される。
【００２４】
図５は、基地局装置１４によるＣＷ  ＩＤの送信の別の概要を示す。基地局装置１４は、設定された送信周期に達した場合に、ＣＷ  ＩＤを送信すべきであるが、ＣＷ  ＩＤを送信している間、端末装置１６間での通話を行えない。つまり、基地局装置１４は、発呼情報を送信できない。端末装置１６間での通話が行われている間にＣＷ  ＩＤの送信タイミングが到達した場合、基地局装置１４は、端末装置１６間の通話が終了するまでＣＷ  ＩＤの送信を保留する。この場合、端末装置１６間の通信がすべて終了した後にＣＷ  ＩＤの送信が行われる。これにより、端末装置１６間で通話を行っている間に、ＣＷ  ＩＤにより通話が突然終了する事態が回避される。
【００２５】
図６は、基地局装置１４によるＣＷ  ＩＤの送信のさらに別の概要を示す。第１基地局装置１４ａが送信周期「１５  ｍｉｎｕｔｅｓ」においてＣＷ  ＩＤを送信し、第２基地局装置１４ｂが送信周期「１０  ｍｉｎｕｔｅｓ」においてＣＷ  ＩＤを送信する。これらの送信によると「３０  ｍｉｎｕｔｅｓ」間隔で、ＣＷ  ＩＤの送信タイミングが重複する。
【００２６】
図７は、基地局装置１４によるＣＷ  ＩＤの送信のさらに別の概要を示す。第１基地局装置１４ａが送信周期「１５  ｍｉｎｕｔｅｓ」においてＣＷ  ＩＤを送信し、第３基地局装置１４ｃが送信周期「２０  ｍｉｎｕｔｅｓ」においてＣＷ  ＩＤを送信する。また、図５のようにＣＷ  ＩＤの送信タイミングが到達した場合に端末装置１６間での通話が行われていると、ＣＷ  ＩＤ送信処理の保留がなされる。その結果、本来重複しない区間でも重複が発生することがある。前述のごとく、各基地局装置１４の送信周波数は同一に設定される。各基地局装置１４の通信エリア１８が重複している地域において基地局装置１４のＣＷ  ＩＤ送信タイミングが重複した場合、第１基地局装置１４ａからの「ＡＡＡ  ＳＴＡＴＩＯＮ」と、第２基地局装置１４ｂからの「ＢＢＢ  ＭＴ」が同時に送信される。そのため、通信エリア１８が重複している地域において干渉が発生し、結果的に端末装置１６はＣＷ  ＩＤを受信できなくなる。
【００２７】
すなわち、複数の基地局装置１４間で同一チャネルを用いてＣＷ  ＩＤを送信する場合、電波の干渉により端末装置１６の受信に障害を与える場合がある。この事態を回避するために、各基地局装置１４に設定するＣＷ  ＩＤの送信周期を設定する際、各基地局装置１４のＣＷ  ＩＤの送信タイミングが重複しないような送信周期を設定することが好ましい。しかしながら、図７のように端末装置１６間の通信によってＣＷ  ＩＤ送信処理の保留処理が発生する場合があるので、ＣＷ  ＩＤの送信タイミングが重複しないように、すべての送信タイミングを事前に決定しておくことは困難である。
【００２８】
図８は、制御装置１２の構成を示す。制御装置１２は、通信部５０、通話状態監視部５２、時刻測定部５４、ＣＷ  ＩＤ送信状況管理部５６、ＣＷ  ＩＤ送信部５８、ＣＷ  ＩＤ設定部６０、ＣＷ  ＩＤ登録テーブル６２、基地局装置詳細情報テーブル６４を含む。また、ＣＷ  ＩＤ送信部５８は、選択部８０、第１検出部８２、第２検出部８４、指示部８６、記憶部８８を含む。
【００２９】
ＣＷ  ＩＤ設定部６０では、各基地局装置１４が送信するＣＷ  ＩＤについての各種設定がなされる。ＣＷ  ＩＤ設定部６０に入力された内容はＣＷ  ＩＤ登録テーブル６２に出力される。図９は、ＣＷ  ＩＤ登録テーブル６２のデータ構造を示す。基地局装置名列には基地局装置１４の名称が示され、ＣＷ  ＩＤ送信文字列には各基地局装置１４から送信される文字列が示され、通信速度列には各基地局装置１４におけるＣＷ  ＩＤの送信時の通信速度が示される。送信周期列には各基地局装置１４におけるＣＷ  ＩＤを送信する周期が示され、基地局装置ＩＰ列には各基地局装置１４のＩＰアドレスが示され、送信時間列には各基地局装置１４におけるＣＷ  ＩＤの実送信時間が示される。ＣＷ  ＩＤの実送信時間は、ＣＷ  ＩＤ送信文字列をモールス符号化した場合の実時間に相当する。
【００３０】
ＣＷ  ＩＤの実送信時間の導出には、図１０のようなモールス符号一覧が使用される。図１０は、モールス符号一覧のデータ構造を示す。「ＡＳＣＩＩ」は文字を示し、「Ｂｉｎ」は当該文字の文字コードを示し、「Ｐａｔｔｅｒｎ」は当該文字のモールス符号を示し、「Ｐｅｒｉｏｄ」は、当該モールス符号の長さを示す。図８に戻る。ＣＷ  ＩＤの実送信時間は、ＣＷ  ＩＤ送信文字列、通信速度、モールス符号一覧をもとに、次にように導出される。通信速度がＮ[ｗｏｒｄｓ／ｍｉｎ]の場合、短点の時間ＭＴｄ[ｍｓｅｃ]は次のように示される。
ＭＴｄ＝１２００÷Ｎ
ＣＷ  ＩＤの送信に必要な実時間ＭＴｔ[ｍｓｅｃ]は次のように示される。
ＭＴｔ＝ＭＴｄ×（ＣＷ  ＩＤ全文字列のモールス符号化）となる。
【００３１】
例えば、第１基地局装置１４ａ（送信文字列ＡＡＡ  ＳＴＡＴＩＯＮ、通信速度２０ＷＰＭ）で計算した場合、ＭＴｄとＭＴｔは次のように示される。
ＭＴ＿ｄ＝１２００÷２０＝６０
ＭＴ＿ｔ＝６０×（［Ａ］５［］３［Ａ］５［］３［Ａ］５［］７［Ｓ］５［］３［Ｔ］３［］３［Ａ］５［］３［Ｔ］３［］３［Ｉ］３［］３［Ｏ］１１［］３［Ｎ］５）
ここで、添え字は各文字の短点数を示す。そのため、ＭＴｔは次のように示される。
ＭＴｔ＝６０×(５＋３＋５＋３＋５＋７＋５＋３＋３＋３＋５＋３＋３＋３＋３＋３＋１１＋３＋５)
=４８６０
【００３２】
図１１は、基地局装置詳細情報テーブル６４のデータ構造を示す。基地局装置名列には基地局装置１４の名称が示され、基地局装置設置座標には各基地局装置１４を設置した緯度および経度が示され、送信範囲列には各基地局装置１４の通信エリア１８の半径が示される。本テーブルの情報は後述の各基地局装置１４の通信エリア１８の重複確認に使用される。通信エリア１８の重複の確認は、次のようになされる。ここで、第Ｎ基地局装置１４ｎの設置座標（緯度、経度）が（Ｘｎ，Ｙｎ）であり、送信半径がＲｎであり、第Ｍ基地局装置１４ｍの設置座標（緯度、経度）が（Ｘｍ，Ｙｍ）であり、送信半径がＲｍであるとされる。これらの場合、第Ｎ基地局装置１４ｎ、第Ｍ基地局装置１４ｍ間の距離ｄは次のように示される。
【数１】
2019062367.tif 000003
なお、Ｒｎ、Ｒｍの単位はキロメートル（ｋｍ）であり、Ｒは地球の半径（６３７８．１３７ｋｍ）である。
【００３３】
または、以下の近似値で距離ｄを計算してもよい。
【数２】
2019062367.tif 000004
ここで、αは緯度１度あたりの平均的な距離であり、例えばα＝１１１ｋｍである。また、βは経度１度あたりの平均的な距離であり、例えばβ＝９１ｋｍである。これらより、ｄ＜Ｒｎ＋Ｒｍの場合、第Ｎ基地局装置１４ｎと第Ｍ基地局装置１４ｍの通信エリア１８は重複し、ｄ＞Ｒｎ＋Ｒｍの場合、第Ｎ基地局装置１４ｎと第Ｍ基地局装置１４ｍの通信エリア１８は重複しないと判定される。図１２は、ＣＷ  ＩＤ送信部５８による通信エリアの重複確認処理の概要を示す。これにより、所定の基地局装置１４の通信エリア１８が他のどの基地局装置１４の通信エリア１８と重複しているかを確認可能である。図８に戻る。
【００３４】
図１３は、ＣＷ  ＩＤ送信部５８の記憶部８８において記憶される各基地局装置１４のＣＷ  ＩＤ送信予告時刻のテーブルのデータ構造を示す。図示のごとく、各基地局装置１４に対するＣＷ  ＩＤ開始予定時刻が示される。図８に戻る。ＣＷ  ＩＤ送信部５８の選択部８０は、時刻測定部５４において取得した現時刻とＣＷ  ＩＤ開始予定時刻を比較し、現時刻がＣＷ  ＩＤ開始予定時刻に到達した基地局装置１４をＣＷ  ＩＤの送信処理が必要な基地局装置１４として選択する。また、ＣＷ  ＩＤ送信部５８の指示部８６は、当該基地局装置１４にＣＷ  ＩＤの送信を指示した後、当該基地局装置１４の次回開始予定時刻を算出し、ＣＷ  ＩＤ送信予告時刻テーブルのＣＷ  ＩＤ開始予定時刻に設定する。
【００３５】
具体的に説明すると、指示部８６は、ＣＷ  ＩＤ登録テーブル６２内の当該基地局装置１４の送信周期を、現在設定されている当該基地局装置１４のＣＷ  ＩＤ開始予定時刻に加算する。例えば、現在設定されている開始予定時刻が「１０：３５：０４．１２５」であり、送信周期が１５分である場合、次の開始予定時刻は「１０：５０：０４．１２５」となる。この送信周期を加算する処理は、現時刻がＣＷ  ＩＤ開始予定時刻に到達しなくなるまで繰り返し行われる。例えば、現在設定されている開始予定時刻（直近で送信した時刻）が「１０：３６：００．６８４」であり、送信周期が１０分であり、現時刻が「１０：５０：００．０００」である場合、送信周期を２回加算して、次の開始予定時刻は「１０：５６：００．６８４」になる。
【００３６】
図１４は、ＣＷ  ＩＤ送信状況管理部５６において記憶されるテーブルのデータ構造を示す図である。ＣＷ  ＩＤ送信部５８の指示部８６は、基地局装置１４にＣＷ  ＩＤの送信を指示する際、ＣＷ  ＩＤ送信状況管理部５６に基地局装置名とＣＷ  ＩＤ終了予定時刻（ＣＷ  ＩＤ送信終了予定時刻）を記録する。指示部８６は、所定の基地局装置１４にＣＷ  ＩＤの送信を指示する際、時刻測定部５４から得られる現時刻にＣＷ  ＩＤ登録テーブル６２内の当該基地局装置１４の送信時間を加算することによって、ＣＷ  ＩＤ終了予定時刻を導出する。これにより、結果的に基地局装置１４でのＣＷ  ＩＤ終了予定時刻が記録される。つまり、ＣＷ  ＩＤ送信状況管理部５６は、複数の基地局装置１４のいずれかが信号を送信している場合に、信号の送信終了予定時刻を管理する。
【００３７】
ここでは、ＣＷ  ＩＤ終了予定時刻が、過去の時刻のデータ（既にＣＷ  ＩＤ送信が終了したデータ）と、未来の時刻のデータ（ＣＷ  ＩＤ送信がまだ終了していないデータ）が両方存在する。なお、終了予定時刻が所定の条件を満たすデータ（例えば、終了予定時刻が現時刻よりも１日以上前のデータ）を適当なタイミングで削除してもよい。また、１つの基地局装置１４について複数のデータ（複数の行）を追加して記録しているが、１つの基地局装置１４について最も新しい終了予定時刻を１つ記録するようにしてもよい。図８に戻る。
【００３８】
以下、制御装置１２における制御処理を図１５を使用して説明する。図１５は、制御装置１２による送信手順を示すフローチャートである。選択部８０は、時刻測定部５４から現時刻を取得する（Ｓ５０）。Ｓ１００において、選択部８０は、ＣＷ  ＩＤ送信部５８の記憶部８８において記憶されるＣＷ  ＩＤ送信予告時刻のテーブルのＣＷ  ＩＤ開始予定時刻を参照し、取得した現時刻が、ＣＷ  ＩＤ開始予定時刻を既に過ぎている基地局装置１４が存在するか否かを判定する。例えば、図１３に示す例において、現時刻が「１０：３５：００．０００」であるとすると、ＣＷ  ＩＤ開始予定時刻が「１０：３４：５９．８５４」である第８基地局装置１４ｈがこの条件に該当する。そして、選択部８０は、条件に該当する基地局を処理対象として選択する。なお、現時刻が開始予定時刻を既に過ぎている基地局装置１４が複数存在する場合、選択部８０は、その中で開始予定時刻が最も古い基地局装置１４を１つ選択する。以下では便宜的に、処理対象として選択した基地局装置１４が「第Ｎ基地局装置１４ｎ」であるとする。現時刻がＣＷ  ＩＤ開始予定時刻を既に過ぎた基地局装置１４が存在する場合（Ｓ１００のＹ）、Ｓ１１０に進む。一方、現時刻がＣＷ  ＩＤ開始予定時刻を既に過ぎた基地局装置１４が存在しない場合、選択部８０は、ＣＷ  ＩＤの送信処理が必要な基地局装置１４がないと判定し（Ｓ１００のＮ）、Ｓ５０に戻る。
【００３９】
Ｓ１１０において、通話状態監視部５２は端末装置１６間の通話を監視する。第１検出部８２は、通話状態監視部５２を参照し、端末装置１６間で通話が行われているか否かを確認する。端末装置１６間での通話があった場合（Ｓ１１０のＹ）、Ｓ５０に戻る。すなわち、ＣＷ  ＩＤの送信が一旦保留される。一方、端末装置１６間での通話がない場合（Ｓ１１０のＮ）、Ｓ１３０へ遷移される。つまり、第１検出部８２は、複数の基地局装置１４のうちの少なくとも１つを介した複数の端末装置１６間の通信が非実行であることを検出する。
【００４０】
Ｓ１３０において、第２検出部８４は、ＣＷ  ＩＤを送信している基地局装置１４が存在するか否かを判定する。具体的には、ＣＷ  ＩＤ送信状況管理部５６を参照し、現時刻がＣＷ  ＩＤ終了予定時刻を経過した基地局装置１４の存在を確認する。例えば、図１４に示す例では、現時刻が「１０：３５：００．０００」であるとすると、現時刻が第７基地局装置１４ｇのＣＷ  ＩＤ終了予定時刻「１０：３５：０２．８５４」を経過していない。これは、第７基地局装置１４ｇがＣＷ  ＩＤを送信中であり、まだＣＷ  ＩＤの送信を終了していない状況を示している。なお、現時刻がＣＷ  ＩＤ終了予定時刻を経過していない基地局装置１４が複数存在する場合もある。ＣＷ  ＩＤを送信している基地局装置１４が存在する場合（Ｓ１３０のＹ）、Ｓ１４０へ遷移する。一方、ＣＷ  ＩＤを送信している基地局装置１４が存在しない場合（Ｓ１３０のＮ）、Ｓ１６０へ遷移する。つまり、第２検出部８４は、現時刻が、ＣＷ  ＩＤ送信状況管理部５６において管理される送信終了予定時刻が経過している場合に、基地局装置１４がＣＷ  ＩＤを送信してないこと（非送信であること）を検出する。
【００４１】
Ｓ１４０において、指示部８６は、基地局装置詳細情報テーブル６４を参照し、Ｓ１３０でＣＷ  ＩＤの送信中であると判断されたすべての基地局装置１４およびＳ１００で処理対象として選択された基地局装置１４の設置位置情報と送信範囲を取得する（Ｓ１４０）。Ｓ１５０において、指示部８６は、第Ｎ基地局装置１４ｎの設置位置、送信範囲と、Ｓ１４０で得られたすべての基地局装置１４の設置位置、送信範囲から、第Ｎ基地局装置１４ｎと通信エリア１８が重複する基地局装置１４が存在するか否かを判定する。通信エリア１８が重複している基地局装置１４が存在した場合（Ｓ１５０のＹ）、Ｓ５０に戻って処理を繰り返す。これは、第Ｎ基地局装置１４ｎのＣＷ  ＩＤの送信を一旦保留することに相当する。一方、通信エリア１８が重複している基地局装置１４が存在しない場合（Ｓ１５０のＮ）、Ｓ１６０に遷移する。
【００４２】
Ｓ１６０において、指示部８６は、ＣＷ  ＩＤ送信状況管理部５６に第Ｎ基地局装置１４ｎの名称とＣＷ  ＩＤ終了予定時刻を記録する。ＣＷ  ＩＤ終了予定時刻は、Ｓ５０で取得した現時刻に、ＣＷ  ＩＤ登録テーブル６２内の送信時間を加算した時刻である。Ｓ１７０において、指示部８６は、通信部５０を介して、第Ｎ基地局装置１４ｎへＣＷ  ＩＤの送信を指示する。つまり、指示部８６は、第１検出部８２が通信の非実行を検出し、かつ第２検出部８４がＣＷ  ＩＤの非送信を検出した場合に、選択部８０において選択した１つの基地局装置１４にＣＷ  ＩＤの送信を指示する。また、指示部８６は、第２検出部８４がＣＷ  ＩＤの送信を検出した場合であっても、ＣＷ  ＩＤを送信している基地局装置１４による通信エリア１８と、選択部８０において選択した１つの基地局装置１４による通信エリア１８とが非重複であれば、選択部８０において選択した１つの基地局装置１４にＣＷ  ＩＤの送信を指示する。制御装置１２から指示を受けた第Ｎ基地局装置１４ｎはＣＷ  ＩＤを送信する。Ｓ１８０において、指示部８６は、ＣＷ  ＩＤ登録テーブル６２内の送信周期を参照し、第Ｎ基地局装置１４ｎの次回ＣＷ  ＩＤの送信を行う予定時刻を更新する。
【００４３】
図１５のフローチャートのＳ１００において、現時刻が複数の基地局装置１４の開始予定時刻を経過している場合、これまでは、その中で最も開始予定時刻が古い基地局装置１４を１つ選択している。これとは別の処理が実行されてもよい。図１６は、制御装置１２による別の送信手順を示すフローチャートである。Ｓ２５０、Ｓ３００、Ｓ３１０、Ｓ３３０からＳ３５０、Ｓ３６０からＳ３８０は、図１５のＳ５０、Ｓ１００、Ｓ１１０、Ｓ１３０からＳ１５０、Ｓ１６０からＳ１８０に対応する。ここでは、これまでとの差異を中心に説明する。選択部８０は、ＣＷ  ＩＤを送信すべきすべての基地局装置１４のリストを取得する（Ｓ３０２）。選択部８０は、Ｓ３０２で取得した基地局装置１４が２つ以上存在する場合に、そのうちの１つの基地局装置１４を選択する（Ｓ３２０）。
【００４４】
Ｓ３２０の１つの処理を説明する。図１７は、制御装置１２による基地局装置１４の選択手順を示すフローチャートである。これは、基地局装置１４の送信範囲、つまり通信エリア１８の広さをもとにＣＷ  ＩＤの優先度を決定する処理に相当する。以下の説明では、Ｓ３０２において、２つの基地局装置１４（第Ｎ基地局装置１４ｎ、第Ｍ基地局装置１４ｍ）が取得されたものとする。選択部８０は、基地局装置詳細情報テーブル６４から第Ｎ基地局装置１４ｎの送信範囲を取得し（Ｓ５００）、基地局装置詳細情報テーブル６４から第Ｍ基地局装置１４ｍの送信範囲を取得する（Ｓ５０２）。第Ｎ基地局装置１４ｎの送信範囲が第Ｍ基地局装置１４ｍの送信範囲よりも広ければ（Ｓ５０４のＹ）、選択部８０は、第Ｎ基地局装置１４ｎのＣＷ  ＩＤ送信を優先する（Ｓ５０６）。第Ｎ基地局装置１４ｎの送信範囲が第Ｍ基地局装置１４ｍの送信範囲よりも広くなければ（Ｓ５０４のＮ）、選択部８０は、第Ｍ基地局装置１４ｍのＣＷ  ＩＤ送信を優先する（Ｓ５０８）。つまり、選択部８０は、送信範囲の広い基地局装置１４を選択する。なお、各基地局装置１４の送信範囲の代わりに、各基地局装置１４の送信電力を用い、送信電力の大きい基地局装置１４ほど、ＣＷ  ＩＤの本来の送信時刻からの遅延が少なくなるように、ＣＷ  ＩＤ送信時刻を決定してもよい。
【００４５】
Ｓ３２０の別の１つの処理を説明する。図１８は、制御装置１２による基地局装置１４の別の選択手順を示すフローチャートである。これは、基地局装置１４が送信するＣＷ  ＩＤの送信時間をもとに優先度を決定する処理である。選択部８０は、ＣＷ  ＩＤ登録テーブル６２から第Ｎ基地局装置１４ｎの送信時間を取得し（Ｓ５５０）、ＣＷ  ＩＤ登録テーブル６２から第Ｍ基地局装置１４ｍの送信時間を取得する（Ｓ５５２）。第Ｎ基地局装置１４ｎの送信時間が第Ｍ基地局装置１４ｍの送信時間よりも長ければ（Ｓ５５４のＹ）、選択部８０は、第Ｍ基地局装置１４ｍのＣＷ  ＩＤ送信を優先する（Ｓ５５６）。第Ｎ基地局装置１４ｎの送信時間が第Ｍ基地局装置１４ｍの送信時間よりも長くなければ（Ｓ５５４のＮ）、選択部８０は、第Ｎ基地局装置１４ｎのＣＷ  ＩＤ送信を優先する（Ｓ５５８）。つまり、選択部８０は、信号の送信時間の短い基地局装置１４を選択する。図１６に戻る。
【００４６】
なお、図１７あるいは図１８を用いて説明したＳ３２０の処理で選択された基地局装置１４が、図１６のフローチャートのＳ３５０においてＹと判定された場合、当該基地局装置１４は次回のＳ３００において、ＣＷ  ＩＤ送信が必要な基地局装置１４として扱わないことが望ましい。これは、Ｓ３５０においてＹと判定された基地局装置１４が繰り返し処理され、他のＣＷ  ＩＤ送信候補の基地局装置１４が処理されなくなることを回避するためである。具体的にはＳ３００においてＣＷ  ＩＤ送信候補基地局装置一覧が作成される。図１９は、ＣＷ  ＩＤ送信部５８において記憶されるテーブルのデータ構造を示す。ＣＷ  ＩＤ送信候補基地局装置一覧には、ＣＷ  ＩＤを送信する候補となる基地局装置名および送信対象フラグ（ＯＮまたはＯＦＦ）が設定される。ここでは、例えば、図１６のＳ１００において第Ｎ基地局装置１４ｎ、第Ｍ基地局装置１４ｍ、第Ｏ基地局装置１４ｏがＣＷ  ＩＤ送信候補として同時に選択されている。その際、各基地局装置１４の送信対象フラグはＯＮに設定される。図１６に戻る。
【００４７】
Ｓ３５０のＹにおいて、第Ｎ基地局装置１４ｎに対して通信エリア１８が重複している基地局装置１４が存在した場合、指示部８６は、ＣＷ  ＩＤ送信候補基地局装置一覧の第Ｎ基地局装置１４ｎの送信対象フラグをＯＦＦに設定する（Ｓ３５２）。Ｓ２５０へ戻った後、再度Ｓ３００にて第Ｎ基地局装置１４ｎ、第Ｍ基地局装置１４ｍ、第Ｏ基地局装置１４ｏがＣＷ  ＩＤ送信候補となるが、ＣＷ  ＩＤ送信候補基地局装置一覧には既に各基地局装置名が登録されているので、情報の更新は行われない。その後、図１７あるいは図１８の処理ではＣＷ  ＩＤ送信候補基地局装置一覧の送信対象フラグが参照され、送信対象フラグがＯＦＦとなっている第Ｎ基地局装置１４ｎについては優先度決定処理の対象外とされる。そのため、第Ｍ基地局装置１４ｍ、第Ｏ基地局装置１４ｏにおいて優先度決定処理がなされる。優先度決定処理後、第Ｍ基地局装置１４ｍが選択され、Ｓ３５０においてＮと判定された場合、Ｓ３７０において第Ｍ基地局装置１４ｍへＣＷ  ＩＤ送信が指示される。この時、ＣＷ  ＩＤ送信候補基地局装置一覧から第Ｍ基地局装置１４ｍについての行は削除される。
【００４８】
Ｓ２５０へ戻った後、再度Ｓ３００において第Ｎ基地局装置１４ｎ、第Ｏ基地局装置１４ｏがＣＷ  ＩＤ送信候補となる。また、ＣＷ  ＩＤ送信候補基地局装置一覧は第Ｎ基地局装置１４ｎの送信対象フラグはＯＦＦ、第Ｏ基地局装置１４ｏの送信対象フラグはＯＮの状態となっている。図１７あるいは図１８の処理ではＣＷ  ＩＤ送信候補基地局装置一覧の送信対象フラグが参照され、送信対象フラグがＯＦＦとなっている第Ｎ基地局装置１４ｎについては優先度決定処理の対象外となる。そのため、結果的に第Ｏ基地局装置１４ｏが選別される。第Ｏ基地局装置１４ｏがＳ３５０にてＹと判定された場合、ＣＷ  ＩＤ送信候補基地局装置一覧の第Ｏ基地局装置１４ｏの送信対象フラグはＯＦＦに設定される（Ｓ３５２）。
【００４９】
Ｓ２５０へ戻った後、再度Ｓ３００にて第Ｎ基地局装置１４ｎ、第Ｏ基地局装置１４ｏがＣＷ  ＩＤ送信候補となるが、第Ｎ基地局装置１４ｎ、第Ｏ基地局装置１４ｏの送信対象フラグは双方ともＯＦＦに設定されている。ＣＷ  ＩＤ送信候補基地局装置一覧に登録されているすべての基地局装置１４の送信対象フラグがＯＦＦの場合、すべての基地局装置１４の送信対象フラグがＯＮに再設定される。図１７あるいは図１８の処理と、Ｓ３５０の判定処理が繰り返し行われる。このような処理によりＣＷ  ＩＤの送信優先度が高く、かつ送信可能な基地局装置１４を効率的に選択し、処理することが可能となる。
【００５０】
図１７、図１８の処理は単独で使用されてもよいし、または組み合わせて使用されてもよい。組み合わせて使用する場合、それぞれの処理をスコア化し、スコアの一番高い基地局装置１４を優先させる方式としてもよい。例えば、基地局装置１４の送信範囲が広いほど、かつＣＷ  ＩＤの送信時間が短いほど高い値となるスコアを各基地局装置１４について算出し、スコアの高い基地局装置１４を優先的に処理対象にすればよい。
【００５１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００５２】
本実施例によれば、複数の端末装置間の通信が非実行であることを検出し、かつ選択した１つの基地局装置以外の基地局装置がＣＷ  ＩＤを非送信であることを検出した場合に、選択した１つの基地局装置に信号のＣＷ  ＩＤを指示するので、複数の基地局装置から効率的にＣＷ  ＩＤを送信できる。また、ＣＷ  ＩＤを送信すべき基地局装置が２つ以上存在する場合に、そのうちの１つの基地局装置を選択するので、１つの基地局装置からＣＷ  ＩＤを送信させることができる。また、送信範囲の広い基地局装置を選択するので、ＣＷ  ＩＤを受信すべき端末装置がより多くなる可能性のある基地局装置を選択できる。また、ＣＷ  ＩＤの送信時間の短い基地局装置を選択するので、ＣＷ  ＩＤを効率よく送信できる。また、管理される送信終了予定時刻が経過している場合に、ＣＷ  ＩＤの非送信を検出するので、検出精度を向上できる。また、ＣＷ  ＩＤを送信している基地局装置による送信範囲と、選択した１つの基地局装置による送信範囲とが非重複であれば、選択した１つの基地局装置に信号の送信を指示するので、送信機会を増加できる。また、基地局装置のＣＷ  ＩＤ送信タイミングが重複することを回避できる。また、基地局装置のＣＷ  ＩＤ送信タイミングが重複することが回避されるので、各基地局装置の通信エリアが重複している地域でもＣＷ  ＩＤを正常に受信できる。
【００５３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５４】
本実施例において通信システム１００では、業務用無線システムが使用されている。しかしながらこれに限らず例えば、業務用無線システム以外の携帯電話等の通信システムが使用されてもよい。本変形例によれば、システムの自由度を向上できる。
【００５５】
本実施例において制御装置１２は、基地局装置１４の外部に配置される。しかしながらこれに限らず例えば、制御装置１２は、基地局装置１４内に含まれてもよい。本変形例によれば、構成の自由度を向上できる。
【００５６】
本実施例において、送信のタイミングに関する所定の条件を満たす必要のある信号がＣＷ  ＩＤであるとされている。しかしながらこれに限らず例えば、送信のタイミングに関する所定の条件を満たす必要のある信号がＣＷ  ＩＤ以外の信号であってもよい。そのような信号の例をここでは４つ説明する。これらは、送信タイミングに関して所定の条件を満たす必要のある報知信号であるといえる。１つ目の例は、法律または規制で決められた通信に使用される信号である。２つ目の例は、組織の運営ルールで決められた通信に使用される信号である。例えば、毎朝９時前後に、前日の報告や当時の予定について、組織（グループ）の端末装置１６に同報通信される信号である。これは、通信システム１００を使用した朝礼、昼礼、夕礼などであるといえる。３つ目の例は、気象情報、災害情報、交通情報などである。これらは数十分ごとに最新の情報をユーザに届けることが望ましいが、通知の間隔はそれほど厳密でなくてもよい性質を持っている。また、これらの情報は、基地局装置の位置に応じた地域限定の情報（基地局ごとに異なる情報）となる場合もある。４つ目の例は、コマーシャル（ＣＭ）の信号である。具体的には、ＣＭの音声信号、映像信号、データ等である。ＣＭを定期的に流す代わりに、通信システムの使用料金を安くしてもよい。ＣＭの送信タイミングは、平均して３０分に１回以上と決められているが、厳密な時刻までは決められていないものとする。また、送信タイミングはある程度の自由度があるが、一度送信を始めたら、途中で中止するのは許容されないものとする。本変形例によれば、構成の自由度を向上できる。
【符号の説明】
【００５７】
１０  ＩＰネットワーク、  １２  制御装置、  １４  基地局装置、  １６  端末装置、  １８  通信エリア、  ５０  通信部、  ５２  通話状態監視部、  ５４  時刻測定部、  ５６  ＣＷ  ＩＤ送信状況管理部、  ５８  ＣＷ  ＩＤ送信部、  ６０  ＣＷ  ＩＤ設定部、  ６２  ＣＷ  ＩＤ登録テーブル、  ６４  基地局装置詳細情報テーブル、  ８０  選択部、  ８２  第１検出部、  ８４  第２検出部、  ８６  指示部、  ８８  記憶部、  １００  通信システム。
【図１】
2019062367.tif 000005
【図２】
2019062367.tif 000006
【図３】
2019062367.tif 000007
【図４】
2019062367.tif 000008
【図５】
2019062367.tif 000009
【図６】
2019062367.tif 000010
【図７】
2019062367.tif 000011
【図８】
2019062367.tif 000012
【図９】
2019062367.tif 000013
【図１０】
2019062367.tif 000014
【図１１】
2019062367.tif 000015
【図１２】
2019062367.tif 000016
【図１３】
2019062367.tif 000017
【図１４】
2019062367.tif 000018
【図１５】
2019062367.tif 000019
【図１６】
2019062367.tif 000020
【図１７】
2019062367.tif 000021
【図１８】
2019062367.tif 000022
【図１９】
2019062367.tif 000023